(57)【要約】【課題】容易にマイナスイオンの発生を確認できるヘアドライヤを提供する。【解決手段】筒状の本体１にモータ１１、ファン１２、ヒータ１３、イオン発生器１４、ＬＥＤランプ１５を内蔵し、グリップ２に電源のオン・オフとモータ１１の強弱を切換えるスイッチＳ１、ヒータ１３のオン・オフと強弱を切換えるスイッチＳ２、イオン発生器１４のオン・オフを切換えるスイッチＳ３を取り付けてあり、モータ１１、ファン１２、イオン発生器１４は本体１の軸線上に配置し、モータ１１の出力軸にファン１２を固定してあり、吹出口ａにはグリル３を嵌め込んで吹出口ａを被覆し、本体１前方にノズル状の透明なフード４を着脱自在に装着してある。ＬＥＤランプ１５は、イオン発生器１４の外周に１乃至複数個配置する。【選択図】図２
0003108449.tif 000002
【実用新案登録請求の範囲】
【請求項１】
イオン発生器を備えて吹出口からイオンを放出するヘアドライヤにおいて、
前記吹出口にＬＥＤランプが配置されており、
前記イオン発生器のオン・オフに連動して前記ＬＥＤランプを点灯・消灯するスイッチを備えていることを特徴とするヘアドライヤ。
【請求項２】
前記吹出口に連通して透光性のフードが着脱自在に取り付けられていることを特徴とする請求項１に記載のヘアドライヤ。
【請求項３】
前記ＬＥＤランプが青色発光ダイオードまたは／および白色発光ダイオードであることを特徴とする請求項１に記載のヘアドライヤ。
【考案の詳細な説明】
【技術分野】
【０００１】
本考案は、ヘアドライヤ、特にイオン発生器を備えたヘアドライヤに関する。
【背景技術】
【０００２】
イオン発生器を備えたヘアドライヤを使用して洗髪後の湿った髪を乾燥させると、髪が水分を保持してしっとりする、髪がサラサラして櫛のとおりが良くなる、くせ毛の伸びが良くなるなどの効果があるといわれている。
イオン発生器は、ヘアドライヤの吹出口の付近に針電極を配置し、この針電極に高電圧を印加してマイナスイオンを発生させ、発生したマイナスイオンを温風と一緒に吹き付けて髪をトリートメントするものである。
【０００３】
ヘアドライヤには電源をオンにしてファンの強弱を切換えるスイッチと、ヒータの強弱を切換えるスイッチと、マイナスイオンを発生させるスイッチが共用あるいは個別の形で付いている。
このうち、ファンの強弱とヒータの強弱はスイッチを切換えた時に、その変化を風量や熱量で感じとることができるが、マイナスイオンの場合はスイッチを切換えても何の変化も感じられない。
そのため、マイナスイオンの発生を確認したい時は、わざわざスイッチの付いている面を手前に向けて隣接している表示ランプの状態を目視する必要があり、非常に不便であった。
【特許文献１】特開２００２−０６５３４４
【特許文献２】特開２００４−２７５６３９
【考案の開示】
【考案が解決しようとする課題】
【０００４】
本考案は、容易にマイナスイオンの発生を確認できるヘアドライヤを提供することを目的になされたものである。
【課題を解決するための手段】
【０００５】
そのため本考案は、イオン発生器を備えて吹出口からイオンを放出するヘアドライヤにおいて、吹出口から可視光を放射するＬＥＤランプと、イオン発生器のオン・オフに連動してＬＥＤランプを点灯・消灯するスイッチとを備えていることを特徴とする。
【考案の効果】
【０００６】
本考案のヘアドライヤは、イオン発生器がオンのときは吹出し口にＬＥＤランプが点灯して可視光を放射するので、直接あるいは鏡に映る吹出口からの光を見て容易にマイナスイオンの発生を知ることができる。その結果、マイナスイオンの発生に対しての安心感が得られると共に、暗示的にマイナスイオンの効果を感じられるようになる。
【考案を実施するための最良の形態】
【０００７】
以下、本考案の実施の形態について説明する。
【０００８】
図１と図２に、本考案を実施したヘアドライヤの一部を正面と側面の断面図で示す。
ヘアドライヤは、筒状の本体１にモータ１１、ファン１２、ヒータ１３、イオン発生器１４、ＬＥＤランプ１５を内蔵し、グリップ２に電源のオン・オフとモータ１１の強弱を切換えるスイッチＳ１、ヒータ１３のオン・オフと強弱を切換えるスイッチＳ２、イオン発生器１４のオン・オフを切換えるスイッチＳ３を備えている。
なお、スイッチＳ１、Ｓ２は同一のシーソー型スイッチノブにより作動される。
モータ１１、ファン１２、イオン発生器１４は、本体１の軸線上に配置され、モータ１１の出力軸にファン１２が固定されている。
また、本体１先端の吹出口ａにはグリル３が嵌め込まれて被覆しており、さらに吹出口ａの前方にはノズル状の透明あるいは半透明である透光性のフード４が着脱自在に装着されている。
透光性のフード４を装着してあることにより、本体１内側から洩れるＬＥＤランプ１５の光が乱反射を加えより一層ＬＥＤランプ１５の光が確認し易くなると共に、イルミネーション的な効果も生じる。
ヒータ１３は、ファン１２とグリル３の間の通風路に架設してある。
【０００９】
ＬＥＤランプ１５は、吹出口ａ付近の本体１の内壁やグリル３あるいはイオン発生器１４の外周に１乃至複数個配置する。ＬＥＤランプ１５としてはヒーリング効果を有する青色発光ダイオードまたは白色発光ダイオードを使用することが望ましく、複数個配置する場合は青色発光ダイオードと白色発光ダイオードをミックスさせて交互に配置してもよい。
また、高熱を発するドライヤの場合は、その発生熱に対処出来るようにＬＥＤランプ１５に耐熱樹脂加工を施しておくと良い。
これにより、ＬＥＤランプ１５の発光色とマイナスイオンのイメージが一致し、清涼感と共にマイナスイオンの発生を強く利用者に印象付けることができる。
また、ＬＥＤランプ１５とともに電子音報知器を取り付けてマイナスイオンの発生を光と音の両方で知らせるようにしてもよい。
【００１０】
図３に、本考案を実施したヘアドライヤの電気回路図を示す。
ヘアドライヤの電気回路は、交流電源５の両端にスイッチＳ１、モータ１１、ヒューズ７を直列に接続した閉回路を形成し、この閉回路と並列にスイッチ２とヒータ１３の直列回路およびスイッチ３とイオン発生器１４の直列回路を接続する。
さらに、イオン発生器１４と並列にＬＥＤランプ１５とその電源回路６を接続する。
【００１１】
本考案を実施したヘアドライヤは以上のような構成で、スイッチＳ１をオンにすると、モータ１１が作動して出力軸に直結したファン１２が回転し、本体１内側の通風路を経由して吹出口ａから冷風が吹き出る。次にスイッチ２をオンにすると、ヒータ１３が発熱し、吹出口ａから温風あるいは熱風が吹き出る。
そしてえスイッチ３をオンにすると、イオン発生器１４がマイナスイオンを発生し、吹出口ａからマイナスイオンが放出され、同時にＬＥＤランプ１５が点灯して吹出口ａから可視光が放射される。
【図面の簡単な説明】
【００１２】
【図１】本考案を実施したヘアドライヤの一部を断面で示す正面図である。
【図２】図１の側面図である。
【図３】本考案を実施したヘアドライヤの電気回路図である。
【符号の説明】
【００１３】
１        本体
１１      モータ
１２      ファン
１３      ヒータ
１４      イオン発生器
１５      ＬＥＤランプ
２        グリップ
３        グリル
４        フード
５        交流電源
６        電源回路
７        ヒューズ
ａ        吹出口
【図１】
0003108449.tif 000003
【図２】
0003108449.tif 000004
【図３】
0003108449.tif 000005